(57)【要約】    【課題】呼出音鳴動時における正帰還発振動作時の送受話用アンプの消費電力を抑制する。    【解決手段】本発明の交互式インターホン装置は、親機１および子機２の両者間での送受話信号を交互に伝送するための送受話増幅および正帰還発振を利用して呼出音生成する送受話用アンプ１１と、送受話用アンプに直流電源を供給する電源装置１８とを備えている。  親機１は、送受話信号の送受話時に送受話用アンプ１１の電源電圧を高い電圧に設定してダイナミックレンジを広くすると共に、呼出音生成時に送受話用アンプ１１の電源電圧を降下させて正帰還発振時の送受話用アンプ１１の消費電力を低下させ、電源装置１８の小容量化を図るための電圧切換回路１７を備えている。    【選択図】図１
2005136769.tif 000002
【特許請求の範囲】
【請求項１】
親機（１）および子機（２）の両者間での送受話信号を交互に伝送するための送受話増幅および正帰還発振を利用して呼出音生成する送受話用アンプ（１１）と、前記送受話用アンプに直流電源を供給する電源装置（１８）とを備え、
前記親機は、前記送受話信号の送受話時に前記送受話用アンプの電源電圧を高い電圧に設定してダイナミックレンジを広くすると共に、前記呼出音生成時に前記送受話用アンプの電源電圧を降下させて前記正帰還発振時の前記送受話用アンプの消費電力を低下させ、前記電源装置の小容量化を図るための電圧切換回路（１７）を備えたことを特徴とする交互式インターホン装置。
【請求項２】
前記子機の親機呼出スイッチ（２１）並びに前記親機の通話スイッチ（１４ｂ）および子機呼出スイッチ（１４ｃ）にそれぞれ連動して減衰器（１２）を介して前記送受話用アンプを降圧し正帰還発振させて呼出音生成し呼出音信号を前記親機または前記子機へ送出するアンプ制御リレー（１５）と、前記親機の待受／通話切換スイッチ（１４ａ）および前記通話スイッチにそれぞれ連動して前記両者間での送受話信号を交互に伝送するための通話路制御リレー（１６）とを備えたことを特徴とする請求項１記載の交互式インターホン装置。
【発明の詳細な説明】
【技術分野】
【０００１】
本発明は、交互式インターホン装置に係わり、特に呼出音生成時に送受話用アンプの電源電圧を降下させて正帰還発振時の送受話用アンプの消費電力を低下させることができる交互式インターホン装置に関する。
【背景技術】
【０００２】
従来から、この種の交互式インターホン装置として、親機と、当該親機に伝送路を介して接続された子機とで構成されて成るものが知られている。
【０００３】
ここで、親機は、送受話用アンプ、減衰器、子機との通話時に使用するマイク兼用の親機スピーカ、交互式インターホン装置の待受状態と通話状態を切換えるための待受／通話切換スイッチ、親機から子機に送話する際にオンさせる送話スイッチ、子機を呼び出す際にオンさせる子機呼出スイッチ、交互式インターホン装置の送話、受話、呼出の各モードを切換えるためのアンプ制御リレーおよび電源装置を備えている。
【０００４】
このような構成の交互式インターホン装置においては、電源装置から送受話用アンプに対して直流電源が供給され、また、送受話用アンプの送受話増幅および正帰還発振を利用して呼出音が生成され、親機から子機スピーカへ、または子機からのトリガにより親機スピーカへ呼出音信号が送出されるように構成されている。
【０００５】
しかしながら、このような構成の交互式インターホン装置においては、送受話用アンプの正帰還発振による呼出音信号の生成時において送受話用アンプによる消費電力が大きくなるため、大容量の電源装置が必要になるという難点があった。また、この対策として、正帰還発振時の送受話用アンプの消費電力は、送受話用アンプの電源電圧を下げることにより削減することができるが、電源電圧を下げてしまうと、送受話用アンプのダイナミックレンジが狭くなることから、通話目的での使用が困難になってしまうという難点があった。
【０００６】
なお、このような交互式インターホン装置については、記載すべき先行技術文献情報はない。
【発明の開示】
【発明が解決しようとする課題】
【０００７】
本発明は、上述の難点を解消するためになされたもので、通常はダイナミックレンジを広くするために送受話用アンプの電源電圧を高い電圧に設定し、呼出時の正帰還発振の場合にのみ送受話用アンプの電源電圧を降下させることにより送受話用アンプの消費電力を下げ、ひいては高い通話品質と低消費電力を両立させた交互式インターホン装置を提供することを目的としている。
【課題を解決するための手段】
【０００８】
本発明の第１の態様である交互式インターホン装置は、親機および子機の両者間での送受話信号を交互に伝送するための送受話増幅および正帰還発振を利用して呼出音生成する送受話用アンプと、送受話用アンプに直流電源を供給する電源装置とを備え、親機は、送受話信号の送受話時に送受話用アンプの電源電圧を高い電圧に設定してダイナミックレンジを広くすると共に、呼出音生成時に送受話用アンプの電源電圧を降下させて正帰還発振時の送受話用アンプの消費電力を低下させ、電源装置の小容量化を図るための電圧切換回路を備えたものである。
【０００９】
また、本発明の第２の態様は、第１の態様である交互式インターホン装置において、子機の親機呼出スイッチ並びに親機の通話スイッチおよび子機呼出スイッチにそれぞれ連動して減衰器を介して送受話用アンプを降圧し正帰還発振させて呼出音生成し呼出音信号を親機または子機へ送出するアンプ制御リレーと、親機の待受／通話切換スイッチおよび通話スイッチにそれぞれ連動して両者間での送受話信号を交互に伝送するための通話路制御リレーとを備えたものである。
【発明の効果】
【００１０】
本発明の第１の態様または第２の態様の交互式インターホン装置によれば、電圧切換回路を備えていることから、送受話信号の送受話時においては送受話用アンプの電源電圧を高い電圧に設定してダイナミックレンジを広くすることができ、また、呼出音生成時においては送受話用アンプの電源電圧を降下させて正帰還発振時の送受話用アンプの消費電力を低下させることができ、ひいては電源装置の小容量化を図ることが可能になる。
【発明を実施するための最良の形態】
【００１１】
以下、本発明の交互式インターホン装置を適用した実施の形態例について、図面を参照して詳述する。ここで、図１は、本発明の交互式インターホン装置のブロック図を示している。
【００１２】
同図において、本発明の交互式インターホン装置は、第１、第２の親機端子Ｔ１ａ、Ｔ１ｂを有する親機１と、第１、第２の子機端子Ｔ２ａ、Ｔ２ｂを有する子機２とを備えており、第１、第２の親機端子Ｔ１ａ、Ｔ１ｂおよび第１、第２の子機端子Ｔ２ａ、Ｔ２ｂ間は２線から成る伝送路Ｌａ、Ｌｂを介して接続されている。
【００１３】
親機１は、呼出音生成し呼出音信号を送出する単一の送受話用アンプ１１と、減衰器１２と、子機との通話時に使用するマイク兼用の親機スピーカ１３と、交互式インターホン装置の待受状態と通話状態を切換えるための待受／通話切換スイッチ１４ａと、親機から子機に送話する際にオンさせる通話スイッチ１４ｂと、子機を呼び出す際にオンさせる子機呼出スイッチ１４ｃと、交互式インターホン装置の送話、受話、呼出の各モードを切換えるためのアンプ制御リレー１５および通話路制御リレー１６と、送受話用アンプ１１の電源電圧を交互式インターホン装置の呼出のモードの場合のみ降下させる電圧切替回路１７と、送受話用アンプ１１に直流電源を供給する電源装置１８と、第１〜第３の分圧抵抗Ｒａ〜Ｒｃとを備えている。ここで、アンプ制御リレー１５は、それぞれコモン接点ｃ、メーク接点ｍおよびブレーク接点ｂを有する第１、第２のアンプ制御リレー１５ａ、１５ｂと、アンプ制御コイル１５ｃとを備え、通話路制御リレー１６は、それぞれコモン接点ｃ、メーク接点ｍおよびブレーク接点を有する第１、第２の通話路制御リレー１６ａ、１６ｂと、通話路制御コイル１６ｃとを備えており、第１のアンプ制御リレー１５ａのコモン接点ｃは減衰器１２を介して送受話用アンプ１１の＋側入力端子に接続され、第１のアンプ制御リレー１５ａのブレーク接点ｂは送受話用アンプ１１の出力端子および第２の通話路制御リレー１６ｂのコモン接点ｃに接続されている。また、第１の通話路制御リレー１６ａのコモン接点ｃは待受／通話切換スイッチ１４ａを介して送受話用アンプ１１の−側入力端子に接続され、第１の通話路制御リレー１６ａのブレーク接点ｂは子機呼出スイッチ１４ｃの一方側、アンプ制御コイル１５ｃの一方側、第２の分圧抵抗Ｒｂの一方側、第３の分圧抵抗Ｒｃの一方側、第２の通話路制御リレー１６ｂのメーク接点ｍおよび第１の親機端子Ｔ１ａに接続され、第１の通話路制御リレー１６ａのメーク接点ｍは第２の通話路制御リレー１６ｂのブレーク接点ｂおよび親機スピーカ１３に接続されている。
【００１４】
電圧切替回路１７は、第１の分圧抵抗Ｒａと、第２のアンプ制御リレー１５ｂとを備えており、第１の分圧抵抗Ｒａの一方側は第２のアンプ制御リレー１５ｂのメーク接点ｍ、電源装置１８の＋側、通話スイッチ１４ｂの一方側および第２の分圧抵抗Ｒｂの他方側に接続され、第１の分圧抵抗Ｒａの他方側は第２のアンプ制御リレー１５ｂのコモン接点ｃおよび送受話用アンプ１１の電源端子に接続されている。また、第２の親機端子Ｔ１ｂは電源装置１８の−側、通話路制御コイル１６ｃの一方側、送受話用アンプ１１のアース側端子、子機呼出スイッチ１４ｃの他方側、アンプ制御コイル１５ｃの他方側、第３の分圧抵抗Ｒｃの他方側および親機スピーカ１３に接続され、通話路制御コイル１６ｃの他方側には通話スイッチ１４ｂの他方側が接続されている。
【００１５】
子機２は、親機１を呼び出す際にオンさせる親機呼出スイッチ２１と、親機１との通話時に使用するマイク兼用の子機スピーカ２２とを備えている。ここで、第１、第２の子機端子Ｔ２ａ、Ｔ２ｂ間には親機呼出スイッチ２１および子機スピーカ２２が並列に接続されている。
【００１６】
次に、本発明の交互式インターホン装置の動作について説明する。
【００１７】
先ず、待受状態においては、親機１の待受／通話切換スイッチ１４ａはオフ側、第２、第３の分圧抵抗Ｒｂ、Ｒｃによりアンプ制御コイル１５ｃが動作していることから、第１、第２のアンプ制御リレー１５ａ、１５ｂはそれぞれメーク接点ｍ側、第１、第２の通話路制御リレー１６ａ、１６ｂはそれぞれブレーク接点ｂ側に切り換えられている。
【００１８】
この状態において、子機２の親機呼出スイッチ２１をオン側にすると、アンプ制御コイル１５ｃの動作が停止し、これに連動して第１、第２のアンプ制御リレー１５ａ、１５ｂがそれぞれブレーク接点ｂ側に切り換えられる。これにより、減衰器１２および第１の分圧抵抗Ｒａが送受話用アンプ１１に接続される。
【００１９】
そして、減衰器１２が送受話用アンプ１１に接続されると、正帰還発振を開始し呼出音が生成されて送受話用アンプ１１から呼出音信号（以下「親機呼出音信号」という。）Ｓ１が出力し、かかる親機呼出音信号Ｓ１は、ブレーク接点ｂ側に切り換えられている第２の通話路制御リレー１６ｂを経由して親機スピーカ１３に伝達される。これにより、親機スピーカ１３から呼出音が鳴動する。
【００２０】
また、第１の分圧抵抗Ｒａが送受話用アンプ１１に接続されると、第１の分圧抵抗Ｒａにより電源装置１８から送受話用アンプ１１に対して供給される電源電圧が降下される。これにより、送受話用アンプ１１における消費電力が削減される。
【００２１】
ここで、親機呼出スイッチ２１をオフ側にすると、アンプ制御コイル１５ｃの動作に連動して第１、第２のアンプ制御リレー１５ａ、１５ｂがそれぞれメーク接点ｍ側に切り換えられる。これにより、送受話用アンプ１１の正帰還発振が停止し、親機スピーカ１３から鳴動する呼出音が停止する。
【００２２】
次に、親機１から子機２への呼び出しは、親機１の通話スイッチ１４ｂおよび子機呼出スイッチ１４ｃを同時にオンすることにより行われる。すなわち、親機１の子機呼出スイッチ１４ｃをオン側にすると、アンプ制御コイル１５ｃが動作し、これに連動して第１、第２のアンプ制御リレー１５ａ、１５ｂがそれぞれブレーク接点ｂ側に切り換えられる。次いで、親機１の通話スイッチ１４ｂをオン側にすると、通話路制御コイル１６ｃが動作し、これに連動して第２の通話路制御リレー１６ｂがメーク接点ｍに切り換えられる。
【００２３】
これにより、減衰器１２および第１の分圧抵抗Ｒａが前述と同様に送受話用アンプ１１に接続される。
【００２４】
そして、減衰器１２が送受話用アンプ１１に接続されると、正帰還発振を開始し呼出音が生成されて送受話用アンプ１１から呼出音信号（以下「子機呼出音信号」という。）Ｓ２が出力され、かかる子機呼出音信号Ｓ２はメーク接点ｍに切り換えられている第２の通話路制御リレー１６ｂ、第１の親機端子Ｔ１ａ、伝送路Ｌａ、および第１の子機端子Ｔ２ａを経由して子機スピーカ２２に伝達される。これにより、子機スピーカ２２から呼出音が鳴動する。
【００２５】
また、第１の分圧抵抗Ｒａが送受話用アンプ１１に接続されると、前述と同様に、電源装置１８から送受話用アンプ１１に対して供給される電源電圧が降下される。
【００２６】
ここで、子機呼出スイッチ１４ｃをオフ側にすると、アンプ制御コイル１５ｃの動作に連動して第１、第２のアンプ制御リレー１５ａ、１５ｂがそれぞれメーク接点ｍ側に切り換えられる。これにより、前述と同様に、送受話用アンプ１１の正帰還発振が停止し、親機スピーカ１３から鳴動する呼出音が停止する。また、通話スイッチ１４ｂをオフ側にすると、第２の通話路制御リレー１６ｂがブレーク接点ｂ側に切り換えられる。
【００２７】
続いて、親機１と子機２間の通話は、次のように、親機１の親機１の待受／通話切換スイッチ１４ａおよび通話スイッチ１４ｂをオンすることにより行なうことができる。
【００２８】
先ず、待受／通話切換スイッチ１４ａをオン側にし、この状態において、子機スピーカ２２から来訪者が音声を入力すると、子機スピーカ２２から送話信号（以下「子機送話信号」という。）Ｓ３が出力され、かかる子機送話信号Ｓ３は、第１の親機端子Ｔ１ａ、伝送路Ｌａ、第１の通話路制御リレー１６ａおよび待受／通話切換スイッチ１４ａを経由して送受話用アンプ１１に伝達され、当該外送受話用アンプ１１により増幅される。そして、増幅された子機送話信号Ｓ３は第２の通話路制御リレー１６ｂを経由して親機スピーカ１３に伝達される。これにより、親機スピーカ１３から、来訪者の音声が放音される。このとき、親機１の子機呼出スイッチ１４ｃ、子機２の親機呼出スイッチ２１がいずれも押されていないことから、アンプ制御コイル１５ｃは動作し、第２のアンプ制御リレー１５ｂはメーク接点ｍ側に切り換えられている。このことから、送受話用アンプ１１は電源装置１８から供給される電源電圧が降下することなく、広いダイナミックレンジで動作する。
【００２９】
次に、親機１の通話スイッチ１４ｂをオン側にすると、通話路制御コイル１６ｃの動作に連動して第１、第２の通話路制御リレー１６ａ、１６ｂがそれぞれメーク接点ｍ側に切り換えられる。
【００３０】
そして、親機１の待受／通話切換スイッチ１４ａをオン側にし、この状態で、親機スピーカ１３から居住者が音声を入力すると、親機スピーカ１３から送話信号（以下「親機送話信号」という。）Ｓ４が出力され、かかる親機送話信号Ｓ４は、第１の通話路制御リレー１６ａおよび待受／通話切換スイッチ１４ａを経由して送受話用アンプ１１に伝達され、当該外送受話用アンプ１１により増幅される。そして、増幅された親機送話信号Ｓ４は、第２の通話路制御リレー１６ｂ、第１の親機端子Ｔ１ａ、伝送路Ｌａ、第１の子機端子Ｔ２ａを経由して経由して子機スピーカ２２に伝達される。これにより、子機スピーカ２２から、居住者の音声が放音される。このとき、親機１の子機呼出スイッチ１４ｃ、子機２の親機呼出スイッチ２１がいずれも押されていないことから、前述と同様に、アンプ制御コイル１５ｃは動作し、第２のアンプ制御リレー１５ｂはメーク接点ｍ側に切り換えられている。このことから、送受話用アンプ１１は電源装置１８から供給される電源電圧が降下することなく、広いダイナミックレンジで動作する。
【００３１】
ここで、親機１の待受／通話切換スイッチ１４ａおよび通話スイッチ１４ｂをオフ側とすることにより、通話路が切断され、交互式インターホン装置は待受状態となる。
【図面の簡単な説明】
【００３２】
【図１】本発明の交互式インターホン装置の一実施例を示すブロック図。
【符号の説明】
【００３３】
１・・・親機
１１・・・送受話用アンプ
１２・・・減衰器
１４ａ・・・待受／通話切換スイッチ
１４ｂ・・・通話スイッチ
１４ｃ・・・子機呼出スイッチ
１５ａ、１５ｂ・・・第１、第２のアンプ制御リレー
１６ａ、１６ｂ・・・第１、第２の通話路制御リレー
１７・・・電圧切換回路
１８・・・電源装置
２・・・子機
２１・・・親機呼出スイッチ
【図１】
2005136769.tif 000003